(57)【特許請求の範囲】
【請求項１】
複数の放送形式の放送を切り替えて受信可能な放送受信装置であって、
第１放送形式の任意チャンネルを選択して放送受信している状態で、他の放送形式である第２放送形式に切り替えて放送受信する放送切り替え手段と、
この放送切り替え手段によって切り替えられた第２放送形式の中から前記第１放送形式の選択チャンネルで放送されている番組とは異なる番組を放送しているチャンネルを選択するチャンネル選択手段と、
を具備し、
前記チャンネル選択手段は、前記第１放送形式の選択チャンネルで放送されている番組と前記第２放送形式の各チャンネルの中から前記選択チャンネルと同一のチャンネルで放送されている番組とを比較して同一番組か否かを判別した結果、同一番組であれば、前記選択チャンネルとは異なる第２放送形式のチャンネルを選択する、
ことを特徴とする放送受信装置。
【請求項２】
複数の放送形式の放送を切り替えて受信可能な放送受信装置であって、
第１放送形式の任意チャンネルを選択して放送受信している状態で、他の放送形式である第２放送形式に切り替えて放送受信する放送切り替え手段と、
この放送切り替え手段によって切り替えられた第２放送形式の中から前記第１放送形式の選択チャンネルで放送されている番組とは異なる番組を放送しているチャンネルを選択するチャンネル選択手段と、
を具備し、
前記放送切り替え手段によって第２放送形式に切り替えられたのちにあって、前記チャンネル選択手段は、第１放送形式で受信可能な番組以外の番組を放送している第２放送形式のチャンネルを選択する、
ようにしたことを特徴とする放送受信装置。
【請求項３】
前記放送切り替え手段によって第２放送形式に切り替えられたのちにあって、前記チャンネル選択手段は、第１放送形式で受信可能なチャンネルを選択受信済みであるか否かを判別し、選択受信済みであれば、第１放送形式で受信可能な番組以外の番組を放送している第２放送形式のチャンネルを選択する、
ようにしたことを特徴とする請求項２記載の放送受信装置。
【請求項４】
複数の放送形式の放送を切り替えて受信可能な放送受信装置であって、
第１放送形式の任意チャンネルを選択して放送受信している状態で、他の放送形式である第２放送形式に切り替えて放送受信する放送切り替え手段と、
この放送切り替え手段によって切り替えられた第２放送形式の中から前記第１放送形式の選択チャンネルで放送されている番組とは異なる番組を放送しているチャンネルを選択するチャンネル選択手段と、
を具備し、
前記放送切り替え手段によって第２放送形式に切り替えられたのちにあって、前記チャンネル選択手段は、第１放送形式で受信可能なチャンネルを選択受信済みであるか否かを判別し、第２放送形式のチャンネル選択の際は、第１放送形式で受信可能なチャンネルを選択受信済みであることを条件に行う、
ようにしたことを特徴とする放送受信装置。
【請求項５】
前記チャンネル選択手段は、前記第１放送形式で受信可能なチャンネルを選択受信済みであるか否かを判別し、選択受信済みでなければ、前記第１放送形式の選択チャンネルと同一の第２放送形式のチャンネルを選択する、
ようにしたことを特徴とする請求項４記載の放送受信装置。
【請求項６】
前記第１放送形式で受信可能なチャンネルを選択受信済みであるか否かの判別は、前記第２放送形式に切り替える前の所定時間内において、第１放送形式で受信可能な全てのチャンネルが切り替え選択されて受信されたか否かで判別する、
ようにしたことを特徴とする請求項４記載の放送受信装置。
【請求項７】
コンピュータに対して、
第１放送形式の任意チャンネルを選択して放送受信している状態で、他の放送形式である第２放送形式に切り替えて放送受信する放送受信機能と、
前記切り替えられた第２放送形式の中から前記第１放送形式の選択チャンネルで放送されている番組とは異なる番組を放送しているチャンネルを選択するチャンネル選択機能と、
を実現させ、
前記チャンネル選択機能は、前記第１放送形式の選択チャンネルで放送されている番組と前記第２放送形式の各チャンネルの中から前記選択チャンネルと同一のチャンネルで放送されている番組とを比較して同一番組か否かを判別した結果、同一番組であれば、前記選択チャンネルとは異なる第２放送形式のチャンネルを選択する、
ことを特徴とするプログラム。
【発明の詳細な説明】
【技術分野】
【０００１】
この発明は、複数の放送形式の放送を切り替えて受信可能な放送受信装置及びプログラムに関する。
【背景技術】
【０００２】
一般に、地上デジタルテレビ放送では、放送局毎に割り当てられている１チャンネルを１３セグメントに分割し、この分割帯域の中の１２セグメントを高画質、高音質のハイビジョン放送用（高解像度１２セグ放送用）とし、残りの１セグメントを移動体機器用（簡易型低解像度の１セグ放送用）としているが、この１セグ放送と１２セグ放送とを受信して表示可能なデジタル放送受信装置としては、従来、表示サイズに応じて１セグ放送を受信するよう制御するか、１２セグ放送を受信するよう制御するようにした技術が知られている（特許文献１参照）。
一方、１２セグ放送を受信して出力している状態において、この受信放送の受信品質（受信感度）が低下した場合に、そのサイマル放送が行われていることを条件に、１２セグ放送から１セグ放送への切り替えが可能である旨のメッセージを表示するようにした技術が知られている（特許文献２参照）。
【特許文献１】特開２００４−２８９７１２号公報
【特許文献２】特開２００７−９６５０８号公報
【発明の開示】
【発明が解決しようとする課題】
【０００３】
ところで、放送受信では、各チャンネルで放送されている番組内容をそれぞれ簡単に視聴してから所望するチャンネルを決めることが多いが、例えば、１セグ放送でのチャンネル切り替えによってその全てのチャンネルを短時間内に順次選択して一巡したとしても、所望する番組が見つからない場合も起こり得る。このような場合に他の放送形式である１２セグ放送での受信も可能であることをユーザが知っていれば、更に１２セグ放送に切り替えて他の番組を探すことができるが、放送形式の切り替え自体にユーザが気づいていなければ、１セグ放送での検索が終了した時点で、それ以上の番組検索を諦めてしまうことになる。また、１２セグ放送への切り替えが可能であることをユーザが知っていてその切り替え操作を行ったとしても、１セグ放送と１２セグ放送とでは同一番組を同一時間に放送するサイマル放送が多ければ、放送形式を切り替えたとしても同じ内容の番組を再度チェックすることになってしまい、結果として、視聴したい番組を速やかに探すことができなかった。
【０００４】
この発明の課題は、複数の放送形式を切り替えて受信可能な場合に、第１放送形式での放送番組と第２放送形式での放送番組とを含む多数の番組の中から所望する番組を効率よく探すことが可能な放送受信装置を提供できるようにすることである。
【課題を解決するための手段】
【０００５】
請求項１記載の発明は、複数の放送形式の放送を切り替えて受信可能な放送受信装置であって、第１放送形式の任意チャンネルを選択して放送受信している状態で、他の放送形式である第２放送形式に切り替えて放送受信する放送切り替え手段と、この放送切り替え手段によって切り替えられた第２放送形式の中から前記第１放送形式の選択チャンネルで放送されている番組とは異なる番組を放送しているチャンネルを選択するチャンネル選択手段と、を具備し、前記チャンネル選択手段は、前記第１放送形式の選択チャンネルで放送されている番組と前記第２放送形式の各チャンネルの中から前記選択チャンネルと同一のチャンネルで放送されている番組とを比較して同一番組か否かを判別した結果、同一番組であれば、前記選択チャンネルとは異なる第２放送形式のチャンネルを選択する、ことを特徴とする。
更に、コンピュータに対して、上述した請求項１記載の発明に示した主要機能を実現させるためのプログラムを提供する（請求項７記載の発明）。
【０００７】
請求項２に記載の発明は、複数の放送形式の放送を切り替えて受信可能な放送受信装置であって、第１放送形式の任意チャンネルを選択して放送受信している状態で、他の放送形式である第２放送形式に切り替えて放送受信する放送切り替え手段と、この放送切り替え手段によって切り替えられた第２放送形式の中から前記第１放送形式の選択チャンネルで放送されている番組とは異なる番組を放送しているチャンネルを選択するチャンネル選択手段と、を具備し、前記放送切り替え手段によって第２放送形式に切り替えられたのちにあって、前記チャンネル選択手段は、第１放送形式で受信可能な番組以外の番組を放送している第２放送形式のチャンネルを選択する、ようにしたことを特徴とする。
【０００８】
請求項２記載の発明において、前記放送切り替え手段によって第２放送形式に切り替えられたのちにあって、前記チャンネル選択手段は、第１放送形式で受信可能なチャンネルを選択受信済みであるか否かを判別し、選択受信済みであれば、第１放送形式で受信可能な番組以外の番組を放送している第２放送形式のチャンネルを選択するようにしてもよい（請求項３記載の発明）。
【０００９】
請求項４に記載の発明は、複数の放送形式の放送を切り替えて受信可能な放送受信装置であって、第１放送形式の任意チャンネルを選択して放送受信している状態で、他の放送形式である第２放送形式に切り替えて放送受信する放送切り替え手段と、この放送切り替え手段によって切り替えられた第２放送形式の中から前記第１放送形式の選択チャンネルで放送されている番組とは異なる番組を放送しているチャンネルを選択するチャンネル選択手段と、を具備し、前記放送切り替え手段によって第２放送形式に切り替えられたのちにあって、前記チャンネル選択手段は、第１放送形式で受信可能なチャンネルを選択受信済みであるか否かを判別し、第２放送形式のチャンネル選択の際は、第１放送形式で受信可能なチャンネルを選択受信済みであることを条件に行う、ようにしたことを特徴とする。
【００１０】
請求項４記載の発明において、前記チャンネル選択手段は、前記第１放送形式で受信可能なチャンネルを選択受信済みであるか否かを判別し、選択受信済みでなければ、前記第１放送形式の選択チャンネルと同一の第２放送形式のチャンネルを選択するようにしてもよい（請求項５記載の発明）。
【００１１】
請求項４記載の発明において、前記第１放送形式で受信可能なチャンネルを選択受信済みであるか否かの判別は、前記第２放送形式に切り替える前の所定時間内において、第１放送形式で受信可能な全てのチャンネルが切り替え選択されて受信されたか否かで判別するようにしてもよい（請求項６記載の発明）。
【発明の効果】
【００１９】
この発明によれば、複数の放送形式を切り替えて受信可能な場合に、第１放送形式で放送されている番組と第２放送形式で放送されている番組とを含む多数の番組の中から所望する番組を効率よく探すことができ、ユーザの負担を軽減することができる。
【発明を実施するための最良の形態】
【００２０】
以下、図１〜図７を参照して本発明の実施形態を説明する。
図１は、携帯電話装置の基本的な構成要素を示したブロック図である。
この携帯電話装置には、通話機能（音声電話機能）、電子メール機能、インターネット接続機能（Ｗｅｂアクセス機能）、テレビ放送受信機能などが備えられている。ＣＰＵ１は、記憶部２内の各種のプログラムに応じて携帯電話装置の全体動作を制御する中核的な中央演算処理装置である。記憶部２は、内部メモリであり、プログラム領域とデータ領域とを有し、このプログラム領域には、後述する図２〜図４に示す動作手順に応じて本実施形態を実現するためのプログラムが格納されている。記録メディア３は、着脱自在な可搬型メモリで、例えば、ＳＤカード、ＩＣカードなどによって構成されている。メモリ４は、ワーク領域などを有する内部メモリである。
【００２１】
無線通信部５は、無線部、ベースバンド部、多重分離部などを備え、例えば、通話機能、電子メール機能、インターネット接続機能の動作時などで最寄りの基地局との間でデータの送受信を行うもので、通話機能の動作時にはベースバンド部の受信側から信号を取り込んで受信ベースバンド信号に復調したのち、音声信号処理部６を介して送話スピーカＳＰから音声出力させ、また、受話マイクＭＣからの入力音声データを音声信号処理部６から取り込み、送信ベースバンド信号に符号化したのち、ベースバンド部の送信側に与えてアンテナから発信出力させる。
【００２２】
テレビ放送通信部７は、地上波デジタルテレビ放送と共に、その電子番組表（ＥＰＧ）などの番組情報も含めて受信可能なもので、地上波デジタルテレビ放送では、上述したように１チャンネルを１３セグメントに分割した各分割帯域の中の１２セグメントを１２セグ放送用とし、残りの１セグメントを１セグ放送用としているが、テレビ放送通信部７は、この１セグ放送（第１放送形式）と１２セグ放送（第２放送形式）とを切り替えて受信可能となっている。なお、一般にユーザは高品質な放送を視聴するときには１２セグ放送を選択し、１２セグ放送の受信環境が悪いときには品質が低下しても受信環境の影響が少ない１セグ放送を選択するようにしているが、何れを選択するかは任意である。
【００２３】
テレビ放送通信部７は、専用アンテナに接続されていて放送信号を抽出する受信部（アナログ回路部）と、受信した放送信号をＯＦＤＭ（直交周波数分割多重）復調したり、多重化されている放送信号から１２セグ放送用の映像データ、音声データ、文字データに分離して復号化したり、１セグ放送用の映像、音声、データ（文字データ）に分離して復号化したり、１２セグ放送と１セグ放送との切り替えを制御したり、圧縮データの解凍などを行うデジタル回路部とを有している。このテレビ放送通信部７から得られたテレビ映像データ及び文字データは、高精細液晶あるいは有機ＥＬなどを使用した表示部８から表示され、また、そのテレビ音声データは、サウンドスピーカ９から出力される。
【００２４】
操作部１０は、ダイヤル入力、文字入力、コマンド入力などを行うもので、図示しないが、テレビ放送受信機能をＯＮ（オン）／ＯＦＦ（オフ）させるテレビＯＮ／ＯＦＦキー、１セグ放送（第１放送形式）と１２セグ放送（第２放送形式）との切り替えを指示する放送形式切り替えキー、チャンネル送りキーなどを有し、ＣＰＵ１は、操作部１０からのキー入力信号に応じた処理を実行する。
【００２５】
次に、この実施形態における携帯電話装置の動作概念を図２〜図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。
なお、図２及び図３は、携帯電話装置の全体動作のうち、本実施形態の特徴部分の動作概要を示したフローチャートであり、この図２及び図３のフローから抜けた際には、全体動作のフロー（図示省略）に戻る。
【００２６】
図２〜図４は、テレビ放送受信機能をオンさせた場合に実行開始されるテレビ放送受信出力処理を示したフローチャートである。以下、このテレビ放送受信出力処理を図５〜図７に示すタイムチャートを参照して具体的に説明するものとする。なお、図５は電源ＯＮ後における１セグ放送の受信状況を示したタイムチャートであり、図６、図７は、図４に続くタイムチャートである。
先ず、ＣＰＵ１１は、テレビＯＮ／ＯＦＦキーの操作でテレビ放送受信機能がＯＮされると、メモリ４に記憶されている前回視聴していた放送形式とそのチャンネル情報を読み出し、複数の放送形式（１セグ放送、１２セグ放送）の中から前回視聴していた放送形式を選択すると共に、その放送形式の前回視聴していたチャンネルを選択して（ステップＳ１）、この選択チャンネルの受信可否を調べる（ステップＳ２）。
【００２７】
図５の具体例は、電源ＯＮ時に前回視聴していた放送形式とそのチャンネルとして、１セグ放送の１ｃｈ（チャンネル）が選択された場合を示している。いま、電波障害などの影響を受けずに１セグ放送の１ｃｈを正常に受信することができた場合には（ステップＳ１でＹＥＳ）、選択チャンネルの放送内容を受信してその映像データを表示部８から表示させると共に、テレビ音声データをサウンドスピーカ９から出力させたのち（ステップＳ３）、操作待ち状態となる（ステップＳ４）。なお、図中、“受信ＯＫ”は、正常受信したことを示し、“受信×”は受信不可を示している（以下、同様）。
【００２８】
操作待ち状態において何らかの操作が行われると（ステップＳ４でＹＥＳ）、次のチャンネルに切り替えるチャンネル送りキーが操作されたのか（ステップＳ５）、放送形式の切り替えを指示する放送形式切り替えキーが操作されたのか（図３のステップＳ１０）、テレビＯＦＦ（終了）キーが操作されたのかを調べ（ステップＳ１１）、それ以外の操作であれば（ステップＳ１１でＹＥＳ）、その操作に応じた処理として、例えば、音量調整処理などの実行したのち（ステップＳ１２）、図２の操作待ち状態に戻る（ステップＳ４）。また、テレビＯＦＦ（終了）キーが操作されたときには（ステップＳ１１でＹＥＳ）、現在受信中の放送形式とそのチャンネル情報をメモリ４に記憶保持させたのち（ステップＳ１３）、上述した全体フローに戻る。
【００２９】
また、チャンネル送りキーが操作されたときには（図２のステップＳ５でＹＥＳ）、下現在受信中の放送形式においてその全てのチャンネルを短時間内（１分以内）に選択済みであるか、つまり、チャンネル切り替えが一巡したかを調べる（ステップＳ６）。例えば、所望する番組を探し出すために、１分タイマ（図示せず）をクリアスタートしてからタイムアウトとなるまでの間にチャンネル送り操作を何回も繰り返し行うことによって１ｃｈ〜１２ｃｈの全チャンネルを順次切り替え選択したか（全チャンネルを一通り選択し終わったか）を調べる。ここで、１ｃｈから１２ｃｈを順次選択し終わって選択チャンネルが１２ｃｈの状態において、チャンネル送り操作が行われると、上述のステップＳ６でチャンネル切り替えが一巡したことが検出される。いま、チャンネル切り替えが一巡していなければ（ステップＳ６でＮＯ）、次チャンネル（図５の例では４ｃｈ）に切り替え選択したのち（ステップＳ７）、上述のステップＳ２に戻り、この選択チャンネル（４ｃｈ）の受信可否を調べる。
【００３０】
ここで、図５に示すように選択チャンネル（４ｃｈ）を正常受信することができた場合に（ステップＳ２でＹＥＳ）、チャンネル送り操作が行われると、上述と同様に、チャンネル切り替えが一巡していないことを条件に、次チャンネル（６ｃｈ）を選択してその受信可否を調べる（ステップＳ５〜７・Ｓ２）。いま、図５に示すように選択チャンネル（６ｃｈ）の受信不可が検出された場合には（ステップＳ２でＮＯ）、この選択チャンネル（６ｃｈ）を受信不可のチャンネル情報としてメモリ４に記憶したのち（ステップＳ８）、次のチャンネル（８ｃｈ）に切り替え選択する（ステップＳ９）。このように“６ｃｈ”の受信不可が検出された場合には、この“６ｃｈ”をスキップして“８ｃｈ”に切り替えられ、“６ｃｈ”から“８ｃｈ”へジャンプされる。
【００３１】
そして、図５に示すように選択チャンネル（８ｃｈ）の正常受信を条件として（ステップＳ２でＹＥＳ）、その放送内容を受信出力させる（ステップＳ３）。以下、上述と同様に、チャンネル送り操作が行われる毎にチャンネル切り替えが一巡していないことを条件に“１０ｃｈ”、“１２ｃｈ”が順次選択される（ステップＳ５〜Ｓ７）。いま、選択チャンネル（１２ｃｈ）の放送内容を受信出力している状態において（ステップＳ３）、更に、チャンネル送り操作が行われると、ステップＳ６でチャンネル切り替えが一巡したことが判別される。これによって図３のフローに移り、他の放送形式を選択する処理を行う（ステップＳ１８）。
【００３２】
これによって例えば、１セグ放送を受信しているときには他の放送形式として１２セグ放送が選択され、１２セグ放送を受信していたときには他の放送形式として１セグ放送が選択される。図６は、テレビ放送受信出力処理を具体的に説明するもので、１セグ放送から１２セグ放送に切り替わった場合における受信状況を示したタイムチャートである。そして、元の放送形式の選択チャンネル（図５の例では１セグ放送の１２ｃｈ）に対して次のチャンネル（１ｃｈ）を指定したのち（ステップＳ１９）、この指定チャンネル（１ｃｈ）と同一のチャンネルを今回の放送形式のチャンネルとして選択する（ステップＳ２０）。
【００３３】
これによって図６に示すように１２セグ放送の１ｃｈが選択される。そして、元の放送形式の指定チャンネル（図５の例では１セグ放送の１ｃｈ）と今回選択された放送形式のチャンネル（図６の例では１２セグ放送の１ｃｈ）との番組情報とを比較して、同一番組（サイマル放送）かを調べる（ステップＳ２１）。なお、図中、“サイマル無”は、サイマル放送でない場合を示し、“サイマル有”は、サイマル放送である場合を示している（以下、同様）。
【００３４】
いま、図６に示すように１セグ放送の１ｃｈで放送されている番組と１２セグ放送の１ｃｈで放送されている番組とが異なり、サイマル放送でない場合には（ステップＳ２１でＮＯ）、この選択チャンネル（１２セグ放送の１ｃｈ）の受信可否を調べる（ステップＳ２４）。いま、選択チャンネルの受信不可が検出された場合には（ステップＳ２４でＮＯ）、この選択チャンネル（１２セグ放送の１ｃｈ）を受信不可のチャンネル情報としてメモリ４に記憶したのち（ステップＳ２５）、次チャンネル（３ｃｈ）に切り替え選択するが（ステップＳ２３）、選択チャンネルの正常受信が可能であれば（ステップＳ２４でＹＥＳ）、この選択チャンネルの放送内容を受信出力させたのち（ステップＳ３０）、操作待ち状態となる（ステップＳ３１）。
【００３５】
この操作待ち状態において何らかの操作が行われると（ステップＳ３１でＹＥＳ）、チャンネル送りキーが操作されたのか（ステップＳ２６）、放送形式切り替えキーが操作されたのか（ステップＳ２７）、テレビＯＦＦ（終了）キーが操作されたのかを調べ（ステップＳ２８）、それ以外の操作であれば（ステップＳ２８でＹＥＳ）、その操作に応じた処理として、例えば、音量調整処理などの実行したのち（ステップＳ２９）、操作待ち状態に戻る（ステップＳ３１）。また、テレビＯＦＦ（終了）キーが操作された場合には（ステップＳ２８でＹＥＳ）、現在受信中の放送形式とそのチャンネル情報をメモリ４に記憶保持させたのち（ステップＳ１３）、上述した全体フローに戻る。
【００３６】
また、チャンネル送り操作が行われたときには（ステップＳ２６でＹＥＳ）、次のチャンネル（図６の例では３ｃｈ）に切り替え選択したのち（ステップＳ２３）、上述のステップＳ２１に戻る。いま、図６に示すように選択チャンネル（３ｃｈ）がサイマル放送ではなく（ステップＳ２１でＮＯ）、それを正常受信することができた場合には（ステップＳ２４でＹＥＳ）、それを条件に当該チャンネルの放送内容を受信出力させる（ステップＳ３０）。そして、更にチャンネル送り操作が行われると（ステップＳ２６でＹＥＳ）、次チャンネル（４ｃｈ）を切り替え選択する（ステップＳ２３）。
【００３７】
このようにして選択されたチャンネルがサイマル放送であれば（ステップＳ２１でＹＥＳ）、メモリ４に記憶しておいたチャンネル情報を読み出して選択チャンネルと比較し、この選択チャンネルは元の放送形式で受信不可となったチャンネルであるかを調べる（ステップＳ２２）。いま、図５の例では、元の放送形式で受信不可となったチャンネルは“６ｃｈ”であり、選択チャンネルの“４ｃｈ”と相違するため（ステップＳ２２でＮＯ）、次チャンネル（図６の例では６ｃｈ）を選択する（ステップＳ２３）。これによって“４ｃｈ”をスキップして“６ｃｈ”に切り替えられる。なお、選択チャンネルはサイマル放送ではないが、受信不可であれば（ステップＳ２４でＮＯ）、この選択チャンネルを受信不可のチャンネルとしてメモリ４に記憶したのち（ステップＳ２５）、次チャンネルを切り替え選択する（ステップＳ２３）。
【００３８】
いま、図６に示すように、選択チャンネル（６ｃｈ）がサイマル放送であっても、元の放送形式（１セグ情報）で受信不可となったチャンネルであれば（ステップＳ２２でＹＥＳ）、この選択チャンネルの正常受信可を条件として（ステップＳ２４でＹＥＳ）、当該チャンネルの放送内容を受信出力させる（ステップＳ３０）。そして、操作待ち状態において（ステップＳ３１）、チャンネル送り操作が行われると（ステップＳ２６でＹＥＳ）、次チャンネル（図６の例では８ｃｈ）に切り替え選択したのち（ステップＳ２３）、上述のステップＳ２１に戻る。そして、図６に示すように選択チャンネル（８ｃｈ）がサイマル放送ではない場合には（ステップＳ２１でＮＯ）、それを正常受信することができたことを条件に（ステップＳ２４でＹＥＳ）、当該チャンネルの放送内容を受信出力させる（ステップＳ３０）。
【００３９】
その後、更にチャンネル送り操作が行われると（ステップＳ２６でＹＥＳ）、次チャンネル（１０ｃｈ）に切り替える（ステップＳ２３）。この選択チャンネル（１０ｃｈ）がサイマル放送であれば、元の放送形式で受信不可となったチャンネルでないことを条件に（ステップＳ２２でＮＯ）、この“１０ｃｈ”をスキップして“１２ｃｈ”に切り替える（ステップＳ２３）。また、選択チャンネル（１０ｃｈ）が受信不可であれば（ステップＳでＮＯ）、この“１０ｃｈ”をスキップして“１２ｃｈ”に切り替えられる（ステップＳ）。そして、図６に示すように選択チャンネル（１２ｃｈ）がサイマル放送でなければ（ステップＳ２１でＮＯ）、この選択チャンネルの正常受信可を条件として（ステップＳ２４でＹＥＳ）、当該チャンネルの放送内容を受信出力させたのち（ステップＳ３０）、更なるチャンネル送り操作に応答して（ステップＳ２６でＹＥＳ）、次チャンネル（１ｃｈ）を切り替える（ステップＳ２３）。
【００４０】
他方、放送形式切り替えキーが操作されたときには（ステップＳ１０あるいはＳ２７でＹＥＳ）、１セグ放送から１２セグ放送あるいは１２セグ放送から１セグ放送への切り替えを行う（ステップＳ１４）。そして、元の放送形式の選択チャンネル（１２セグ放送の１２ｃｈ）に対して次のチャンネル（１ｃｈ）を指定したのち（ステップＳ１５）、この指定チャンネル（１ｃｈ）と同一のチャンネルを今回の放送形式のチャンネルとして選択する（ステップＳ１６）。これによって１２セグ放送の１ｃｈが選択される。図７は、テレビ放送受信出力処理を具体的に説明するもので、１セグ放送から１２セグ放送に切り替わった場合における受信状況を示したタイムチャートである。そして、元の放送形式の全チャンネルを短時間内（１分以内）に選択済みであるか、つまり、チャンネル切り替えが一巡済みであるかを調べる（ステップＳ１７）。
【００４１】
いま、チャンネル切り替えが一巡済みでなければ（ステップＳ１７でＮＯ）、図４のフローに移り、以下、上述したステップＳ２３〜３１に相当する処理（ステップＳ３２〜Ｓ４０）を実行する。すなわち、選択チャンネルの正常受信を条件に（ステップＳ３３）、その放送内容を受信出力させ（ステップＳ３９）、また、チャンネル送り操作に応答して（ステップＳ３５でＹＥＳ）、次チャンネルに切り替え（ステップＳ３２）、放送形式切り替え操作に応答して（ステップＳ３６）、他の放送形式を選択する処理に移り（図３のステップＳ１４）、また、テレビＯＦＦ（終了）操作に応答して（ステップＳ３７）、テレビ終了処理に移る（図３のステップＳ１３）。
【００４２】
また、図５に示すように１セグ放送の１ｃｈ〜１２ｃｈを一通り選択し終わった時点で放送形式切り替えキーが操作された場合には、チャンネル切り替えが一巡済みであるので（ステップＳ１７でＹＥＳ）、ステップＳ２１に移り、以下、上述の動作を繰り返す。これによって図７に示すように選択チャンネル（１ｃｈ）がサイマル放送ではなく（ステップＳ２１でＮＯ）、それを正常受信することができたときには（ステップＳ２４でＹＥＳ）、当該チャンネルの放送内容を受信出力させる（ステップＳ３０）。以下、チャンネル送りキーが操作される毎に（ステップＳ２６でＹＥＳ）、次チャンネルとして“３ｃｈ”、４ｃｈに順次切り替えられる（ステップＳ２３）。
【００４３】
以上のように、この実施形態においてＣＰＵ１は、テレビ放送通信部７から複数の放送形式（例えば、１セグ放送、１２セグ放送）を切り替えて受信する場合に、第１放送形式（例えば、１セグ放送）での任意チャンネルを選択受信している状態で第２放送形式（１２セグ放送）に切り替える際に、第１放送形式で選択されたチャンネルの番組とは異なる番組を放送する第２放送形式のチャンネルを自動選択するようにしたので、現在の放送形式の番組を受信中に、その番組が所望するものでないために他の放送形式を切り替えた場合に、その切り替え先での放送形式で同じ内容の番組を放送していたとしても、同一番組を重複して受信視聴することを避けることができるとほか、第１放送形式の放送番組と第２放送形式の放送番組とを含む多数の番組の中から所望する番組を効率よく探すことができ、ユーザの負担を軽減することが可能となる。
【００４４】
第１放送形式の選択チャンネルで放送されている番組と第２放送形式の各チャンネルの中から選択チャンネルと同一のチャンネルで放送されている番組とを比較した結果、サイマル放送であれば、当該選択チャンネルとは異なる第２放送形式のチャンネルを選択するようにしたので、同じ内容の番組（サイマル放送番組）か否かを容易かつ確実に判別することができる。
【００４５】
第２放送形式に切り替えられたのちにあって、第１放送形式で受信可能な番組以外の番組（例えば、サイマル放送していない番組）を放送している第２放送形式のチャンネルを選択するようにしたので、第１放送形式で視聴済みの番組を除く、他の番組（例えば、サイマル放送していない番組）を第２放送形式で視聴することができる。
【００４６】
第２放送形式に切り替えられたのちにあって、第１放送形式で受信可能なチャンネル（例えば、受信不可のチャンネルを除く各チャンネル）を選択受信済みであるか否かを判別し、選択受信済みであれば、第１放送形式で受信可能な番組以外の番組を放送している第２放送形式のチャンネルを選択するようにしたので、第１放送形式で選択済みのチャンネルを除く、他のチャンネルを第２放送形式で選択することができる。
【００４７】
第２放送形式に切り替えられたのちにあって、第１放送形式で受信可能なチャンネルを選択受信済みであるか否かを判別し、第２放送形式のチャンネル選択の際は、第１放送形式で受信可能なチャンネルを選択受信済みであることを条件に行うようにしたので、例えば、第１放送形式のチャンネル切り替えが一巡した際に第２放送形式のチャンネル選択に移行することができる。
【００４８】
第１放送形式で受信可能なチャンネルを選択受信済みであるか否かを判別し、選択受信済みでなければ（例えば、受信不可のチャンネルであれば）、第１放送形式の選択チャンネルと同一の第２放送形式のチャンネルを選択するようにしたので、第１放送形式で受信不可のチャンネルを第２放送形式で選択することができる。
【００４９】
第１放送形式で受信可能なチャンネルを選択受信済み否かの判別は、第２放送形式に切り替える前の所定時間内において第１放送形式で受信可能な全てのチャンネルが切り替え選択されて受信されたか否かで判別するようにしたので、短時間内（例えば、１分以内）に全てのチャンネルを選択済みか否か、つまり、チャンネル切り替えが一巡したか否かよって、その判別を行うことができる。
【００５０】
チャンネルを切り替える際に、第１放送形式で受信可能なチャンネルを選択受信済みか否かの判別結果に基づいて第２放送形式に切り替えるか否かを決定し、第２放送形式に切り替えられた場合に、この第２放送形式のチャンネルを選択するようにしたので、第１放送形式でのチャンネル送り時に、第２放送形式への切り替えとそのチャンネルの選択が可能となり、第２放送形式での受信も可能であることを知らないユーザであっても、所望する番組を検索する際に、第１放送形式に限らず、第２放送形式も含めた多数の番組の中から所望する番組を検索することができる。
【００５１】
第１放送形式で受信可能なチャンネルを選択受信済みではない場合には、第１放送形式の各チャンネルの中から他のチャンネルを選択して切り替える動作を選択受信済みであると判別されるまで繰り返すようにしたので、第１放送形式の各チャンネルを選択受信してから第２放送形式に移行することができる。
【００５２】
一方の放送形式（例えば、１２セグ放送）のチャンネルで放送内容を受信している状態で、次チャンネルへの切り替えが指示された際に、当該次チャンネルの番組が他方の放送形式（例えば、１セグ放送）で受信可能な番組と同一番組（サイマル放送）であるか否かを判別し、同一番組であれば、当該次チャンネルとは異なるチャンネルを選択するようにしたので、次チャンネル送りをする際は、他方の放送形式では受信視聴できない番組のチャンネルに限定してチャンネル送りをすることができ、同一番組を重複して受信視聴することを避けることができるほか、多数の番組の中から所望する番組を効率よく探すことができ、ユーザの負担を軽減することが可能となる。
【００５３】
例えば、１２セグ放送のチャンネルで放送内容を受信している状態において、次チャンネルへの切り替えが指示された際に、当該次チャンネルの番組が１セグ放送で受信可能な番組と同一番組であるか否かを判別した結果、同一番組であっても受信可能でなかった場合には、次チャンネルを選択するようにしたので、１セグ放送で受信不能であった番組を１２セグ放送で受信することができる。
【００５４】
なお、上述した実施形態においては、テレビ放送受信出力処理の具体例として、電源ＯＮ後における１セグ放送の受信状況から１２セグ放送に切り替わった場合の受信状況を示したが、これとは逆に１２セグ放送から１セグ放送に切り替わった場合であっても上述と同様の動作が行われる。また、上述した実施形態においては、第１放送形式を１セグ放送とし、第２放送形式を１２セグ放送としたが、これとは逆に、第１放送形式を１２セグ放送とし、第２放送形式を１セグ放送としてもよい。
【００５５】
上述した実施形態においては、選択チャンネルが受信不可の場合に、そのチャンネル情報をメモリ４に記憶するようにしたが、正常受信が可能なチャンネルであっても受信履歴として一時記憶するようにしてもよい。この場合、この受信履歴を参照して、同一番組の受信有無を判別し、受信済みであれば、そのチャンネルをジャンプして次のチャンネルを選択するようにしてもよい。
【００５６】
上述した実施形態においては、複数の放送形式として１セグ放送、１２セグ放送を受信する場合を例示したが、放送信号を電波受信する場合に限らず、インターネットを利用したＷｅｂテレビ放送を受信する場合であっても同様に適用可能である。
携帯電話装置に限らず、例えば、ＰＤＡ、電子カメラ、電子腕時計などの携帯端末装置であっても同様に適用可能であり、更に、据え置き型のテレビ放送受信装置であってもよい。
【図面の簡単な説明】
【００５７】
【図１】携帯電話装置の基本的な構成要素を示したブロック図。
【図２】テレビ放送受信機能をオンさせた場合に実行開始されるテレビ放送受信出力処理を示したフローチャート。
【図３】図２に続くフローチャート。
【図４】図３に続くフローチャート。
【図５】テレビ放送受信出力処理を具体的に説明するもので、電源ＯＮ後における１セグ放送の受信状況を示したタイムチャート。
【図６】テレビ放送受信出力処理を具体的に説明するもので、１セグ放送から１２セグ放送に切り替わった場合における受信状況を示したタイムチャート。
【図７】テレビ放送受信出力処理を具体的に説明するもので、１セグ放送から１２セグ放送に切り替わった場合における受信状況を示したタイムチャート。
【符号の説明】
【００５８】
１  ＣＰＵ
２  記憶部
５  無線通信部
７  テレビ放送通信部
８  表示部
９  サウンドスピーカ
１０  操作部
【図１】
0005334153.tif 000002
【図２】
0005334153.tif 000003
【図３】
0005334153.tif 000004
【図４】
0005334153.tif 000005
【図５】
0005334153.tif 000006
【図６】
0005334153.tif 000007
【図７】
0005334153.tif 000008